(57)【要約】【課題】クリップガイドをガイドレールのガイド部に簡単に取り付けることができる取付工具を提供する。【解決手段】取付工具は、把持部１３、支持部８、押圧部９及び押圧部１０を備える。押圧部９及び押圧部１０は、支持部に設けられる。押圧部９は、クリップガイド６をガイド部５ｂに取り付ける際にクリップガイド６の側方を向く第１面に対向する。押圧部１０は、クリップガイド６をガイド部５ｂに取り付ける際に、クリップガイド６の側方を向く面のうち第１面と反対の方向を向く第２面に対向する。【選択図】図５
2015212192.tif 000002
【特許請求の範囲】
【請求項１】
マンコンベアの移動手摺を案内するガイドレールのガイド部にクリップガイドを取り付けるための取付工具であって、
把持部と、
前記把持部に設けられた支持部と、
前記支持部に設けられ、前記支持部から突出する第１押圧部と、
前記支持部に設けられ、前記第１押圧部が突出する方向と同じ方向に前記支持部から突出し、一定の間隔を空けて前記第１押圧部に対向する第２押圧部と、
を備え、
前記第１押圧部は、前記クリップガイドを前記ガイド部に取り付ける際に前記クリップガイドの側方を向く第１面に対向し、
前記第２押圧部は、前記クリップガイドを前記ガイド部に取り付ける際に、前記クリップガイドの側方を向く面のうち前記第１面と反対の方向を向く第２面に対向する
クリップガイドの取付工具。
【請求項２】
前記ガイドレールの前記ガイド部の上面、端面及び下面を覆うように配置され、一縁部が前記ガイド部の上面側に配置され、他縁部が前記ガイド部の下面側に配置される手摺ガイド部と、
前記手摺ガイド部の一縁部に設けられ、前記手摺ガイド部の他縁部側に突出し、前記手摺ガイド部の他縁部との間に間隙が形成された爪部と、
を備えたクリップガイドを前記ガイド部に取り付けるための取付工具であって、
前記第１押圧部は、前記クリップガイドを前記ガイド部に取り付ける際に前記爪部に対向し、
前記第２押圧部は、前記クリップガイドを前記ガイド部に取り付ける際に前記手摺ガイド部に対向する
請求項１に記載のクリップガイドの取付工具。
【請求項３】
前記第１押圧部は、第１軸と前記第１軸に回転自在に設けられた第１回転体とを備え、
前記第２押圧部は、第２軸と前記第２軸に回転自在に設けられた第２回転体とを備え、
前記第１軸と前記第２軸とは平行に配置された
請求項１又は請求項２に記載のクリップガイドの取付工具。
【請求項４】
前記支持部は、前記把持部から突出する棒状或いは板状を呈し、
前記第１押圧部は、前記支持部の先端部に設けられ、
前記第２押圧部は、前記支持部の前記第１押圧部より前記把持部に近い位置に設けられた
請求項１から請求項３の何れか一項に記載のクリップガイドの取付工具。
【請求項５】
前記支持部に設けられ、前記第１押圧部が前記支持部から突出する方向と反対の方向に前記支持部から突出する第３押圧部と、
前記支持部に設けられ、前記第３押圧部が突出する方向と同じ方向に前記支持部から突出し、一定の間隔を空けて前記第３押圧部に対向する第４押圧部と、
を更に備えた請求項１から請求項４の何れか一項に記載のクリップガイドの取付工具。
【請求項６】
前記支持部に設けられ、前記第１押圧部が前記支持部から突出する方向と反対の方向に前記支持部から突出する第３押圧部と、
前記支持部に設けられ、前記第３押圧部が突出する方向と同じ方向に前記支持部から突出し、一定の間隔を空けて前記第３押圧部に対向する第４押圧部と、
を更に備え
前記第３押圧部は、第３軸と前記第３軸に回転自在に設けられた第３回転体とを備え、
前記第４押圧部は、第４軸と前記第４軸に回転自在に設けられた第４回転体とを備え、
前記第３軸と前記第４軸とは平行に配置され、
前記第３軸は、前記第１軸と一直線状に配置され、
前記第４軸は、前記第２軸と一直線状に配置された
請求項３に記載のクリップガイドの取付工具。
【請求項７】
前記支持部は、
把持部に設けられた第１支持体と、
前記第１押圧部及び前記第２押圧部が設けられた第２支持体と、
前記第１押圧部が前記第２押圧部より前記把持部から遠い位置に配置される第１位置と前記第２押圧部が前記第１押圧部より前記把持部から遠い位置に配置される第２位置とに前記第２支持体を前記第１支持体に固定するための固定手段と、
を備えた請求項１から請求項３の何れか一項に記載のクリップガイドの取付工具。
【発明の詳細な説明】
【技術分野】
【０００１】
この発明は、クリップガイドをガイドレールに取り付けるための工具に関する。
【背景技術】
【０００２】
エスカレータ等のマンコンベアでは、乗客が乗るステップと同期するように移動手摺が駆動される。マンコンベアの移動手摺は、ガイド装置によってその移動（走行）が案内される。ガイド装置には、移動手摺の走行抵抗を低減させるために、ガイドレールにクリップガイドが取り付けられたものがある。特許文献１に、クリップガイドをガイドレールに取り付けるための工具が開示されている。
【先行技術文献】
【特許文献】
【０００３】
【特許文献１】特開２０１１−１１６５１８号公報
【発明の概要】
【発明が解決しようとする課題】
【０００４】
クリップガイドには、ガイドレールのガイド部に単に差し込まれるだけでなく、ガイド部を包み込むように取り付けられるものがある。特許文献１に記載された工具を用いてこのようなクリップガイドの取付を行うことはできない。また、このようなクリップガイドは、樹脂が硬くなる冬場にガイドレールへの取り付けが特に困難になる。クリップガイドをガイド部に嵌め込むために多大な時間と労力とが必要になるといった問題があった。
【０００５】
この発明は、上述のような課題を解決するためになされた。この発明の目的は、クリップガイドをガイドレールのガイド部に簡単に取り付けることができる取付工具を提供することである。
【課題を解決するための手段】
【０００６】
この発明に係るクリップガイドの取付工具は、マンコンベアの移動手摺を案内するガイドレールのガイド部にクリップガイドを取り付けるための取付工具であって、把持部と、把持部に設けられた支持部と、支持部に設けられ、支持部から突出する第１押圧部と、支持部に設けられ、第１押圧部が突出する方向と同じ方向に支持部から突出し、一定の間隔を空けて第１押圧部に対向する第２押圧部と、を備え、第１押圧部は、クリップガイドをガイド部に取り付ける際にクリップガイドの側方を向く第１面に対向し、第２押圧部は、クリップガイドをガイド部に取り付ける際に、クリップガイドの側方を向く面のうち第１面と反対の方向を向く第２面に対向するものである。
【発明の効果】
【０００７】
この発明に係る取付工具を用いることにより、クリップガイドをガイドレールのガイド部に簡単に取り付けることができるようになる。
【図面の簡単な説明】
【０００８】
【図１】エスカレータの構成を示す図である。
【図２】図１のＡ−Ａ断面を示す図である。
【図３】クリップガイドを示す斜視図である。
【図４】この発明の実施の形態１における取付工具を示す側面図である。
【図５】取付工具の使用方法を説明するための図である。
【図６】図５のＢ−Ｂ断面を示す図である。
【図７】この発明の実施の形態１における取付工具の他の例を示す図である。
【図８】この発明の実施の形態１における取付工具の他の例を示す図である。
【図９】この発明の実施の形態２における取付工具を示す正面図である。
【図１０】この発明の実施の形態２における取付工具を示す側面図である。
【図１１】取付工具の使用方法を説明するための図である。
【図１２】取付工具の他の使用方法を説明するための図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１はエスカレータの構成を示す図である。図２は図１のＡ−Ａ断面を示す図である。先ず、図１から図３を参照し、エスカレータの構成について説明する。
【００１１】
エスカレータの乗客は、ステップ１に乗って上下階床間を移動する。ステップ１に乗降する乗客及びステップ１に乗っている乗客は、安全のために移動手摺２を掴む。移動手摺２は、ステップ１と同期するように駆動される。
【００１２】
ステップ１の側方に、欄干３が設けられる。欄干３は、例えばガラスパネルからなる。欄干３の縁部に、ガイド装置４が設けられる。ガイド装置４は、移動手摺２の移動（走行）を案内するための装置である。移動手摺２は、全体として環状に形成される。移動手摺２は、上部乗降口及び下部乗降口で上下に反転され、欄干３を周回するように移動する。ガイド装置４は、移動手摺２のうち乗客が触れることができる部分の移動を案内する。
【００１３】
図２に示すように、移動手摺２は横断面がＣ字状を呈する。ガイド装置４は、移動手摺２の内側に形成された面（内側表面）に接触して、移動手摺２の移動を案内する。ガイド装置４は、例えば、ガイドレール５、クリップガイド６、支持部材７を備える。
【００１４】
ガイドレール５は、移動手摺２の移動を案内するためのものである。ガイドレール５は、例えば、長尺の板状の部材が折り曲げられることによって形成される。ガイドレール５は、支持部材７を介して欄干３に固定される。ガイドレール５は、欄干３の縁部に沿って配置される。
【００１５】
図２は、ガイドレール５の一例を示す。ガイドレール５は、基部５ａとガイド部５ｂとを備える。基部５ａは、横断面が上方に開口するコ字状を呈する。基部５ａは、下部が支持部材７に固定される。ガイド部５ｂは、基部５ａから両側に突出する。ガイド部５ｂは、例えば、板状の部材がコ字状に折り曲げられた後、その縁部が更に外側に折り曲げられることによって形成される。ガイド部５ｂは、基部５ａの各上端部から外側に向けて平坦に形成される。
【００１６】
クリップガイド６は、移動手摺２に実際に接触する部分である。クリップガイド６は、移動手摺２を保護するため及び摩擦係数を低減させるためにガイドレール５に設けられる。クリップガイド６は、例えば長尺の樹脂部材（ＭＣナイロン等）からなる。クリップガイド６は、ガイドレール５の各ガイド部５ｂに取り付けられる。クリップガイド６は、ガイドレール５の長手に沿って配置される。クリップガイド６は、ガイド部５ｂに適切に取り付けられると、移動手摺２の内側表面に対向し、接触する。
【００１７】
クリップガイド６は、自身の弾性力によってガイド部５ｂを挟み込み、ガイドレール５に固定される。クリップガイド６をガイドレール５に取り付けるためにネジ等の締結部材は使用されない。クリップガイド６がガイドレール５に適切に取り付けられると、クリップガイド６は、ガイド部５ｂを包み込むように配置され、図２に示す断面においてガイド部５ｂに四方（図２では上下左右）から対向する。
【００１８】
図３はクリップガイド６を示す斜視図である。クリップガイド６は、例えば、手摺ガイド部６ａ及び爪部６ｂを備える。
【００１９】
手摺ガイド部６ａは、移動手摺２の内側表面に実際に接触し得る部分である。手摺ガイド部６ａは、例えば、横断面が横向きのＪ字状を呈する。手摺ガイド部６ａは、ガイド部５ｂの上面及び端面の各全体と下面の一部とを覆うように配置される。クリップガイド６がガイドレール５に適切に取り付けられると、手摺ガイド部６ａの一方の縁部（一縁部）がガイド部５ｂの上面側に配置される。また、手摺ガイド部６ａの他方の縁部（他縁部）は、ガイド部５ｂの下面側に配置される。
【００２０】
爪部６ｂは、クリップガイド６がガイドレール５から外れてしまうことを防止するためのものである。爪部６ｂは、手摺ガイド部６ａの一縁部にその長手に沿って設けられる。爪部６ｂは、手摺ガイド部６ａの一縁部から手摺ガイド部６ａの他縁部側に突出する。即ち、クリップガイド６がガイドレール５に適切に取り付けられると、爪部６ｂは、手摺ガイド部６ａの一縁部から下方に突出する。爪部６ｂと手摺ガイド部６ａの他縁部との間に、一定の幅を有する間隙が形成される。クリップガイド６がガイドレール５に適切に取り付けられると、爪部６ｂがガイドレール５の基部５ａの上端に基部５ａの中央部側から対向して接触する。このため、クリップガイド６が外向きに力を受けても、爪部６ｂが基部５ａの上端に引っ掛かり、クリップガイド６がガイドレール５から外れることはない。
【００２１】
次に、クリップガイド６をガイドレール５に取り付けるための工具について説明する。
図４はこの発明の実施の形態１における取付工具を示す側面図である。図５は取付工具の使用方法を説明するための図である。
【００２２】
上述したように、クリップガイド６をガイドレール５に取り付けるためにネジ等は使用されない。作業員は、クリップガイド６を変形させて、クリップガイド６の内側に形成された空間にガイドレール５のガイド部５ｂを配置する。作業員は、このような取付作業を行う際に図４に示す取付工具を使用する。
【００２３】
取付工具は、支持部８と押圧部９〜１２と把持部１３とを備える。
支持部８は、例えば、への字状に折り曲げられた細長い板状の部材からなる。支持部８は、把持部１３から突出するように把持部１３に設けられる。支持部８の構成は、上記に限定されない。例えば、支持部８は棒状を呈していても良い。把持部１３は、作業員が持つ部分である。
【００２４】
押圧部９〜１２は、クリップガイド６をガイドレール５に取り付ける際にクリップガイド６に押し付けられる部分である。押圧部９〜１２は、支持部８に設けられる。押圧部９〜１２は、例えば円柱状を呈する部材からなる。押圧部９及び１０が一対として使用され、押圧部１１及び１２が一対として使用される。
【００２５】
押圧部９は、例えば、支持部８の先端部に設けられる。押圧部９は、支持部８の一方の側面８ａから突出する。押圧部１０は、押圧部９より把持部１３に近い位置に設けられる。例えば、押圧部１０は、支持部８の屈曲する部分に設けられる。押圧部１０は、支持部８の側面８ａから突出する。即ち、押圧部１０は、押圧部９が突出する方向と同じ方向に支持部８から突出する。押圧部９と押圧部１０との間に、一定の間隔が空けられる。押圧部９の外周面と押圧部１０の外周面とが上記間隔を空けて対向する。
【００２６】
押圧部１１は、例えば、支持部８の先端部に設けられる。押圧部１１は、支持部８の他方の側面８ｂから突出する。即ち、押圧部１１は、押圧部９が支持部８から突出する方向とは反対の方向に支持部８から突出する。円柱状を呈する押圧部１１は、例えば、その中心軸が同じく円柱状を呈する押圧部９の中心軸と同一直線上に配置される。
【００２７】
押圧部１２は、押圧部１１より把持部１３に近い位置に設けられる。例えば、押圧部１２は、支持部８の屈曲する部分に設けられる。押圧部１２は、支持部８の側面８ｂから突出する。即ち、押圧部１２は、押圧部１１が突出する方向と同じ方向に支持部８から突出する。円柱状を呈する押圧部１２は、例えば、その中心軸が同じく円柱状を呈する押圧部１０の中心軸と同一直線上に配置される。押圧部１１と押圧部１２との間に、一定の間隔が空けられる。押圧部１１の外周面と押圧部１２の外周面とが上記間隔を空けて対向する。
【００２８】
次に、図６も参照し、上記構成の取付工具を使用してクリップガイド６をガイドレール５に取り付ける方法について説明する。図６は図５のＢ−Ｂ断面を示す図である。以下に説明する作業手順は、例えば、エスカレータの据付時、保守時及び改修時等に行われる。
【００２９】
欄干３の縁部に、ガイド装置４のガイドレール５が固定されている。先ず、クリップガイド６の爪部６ｂと手摺ガイド部６ａの他縁部との間から、クリップガイド６の内部の空間にガイドレール５のガイド部５ｂを差し込む。この作業は、例えば、作業者が手で行う。次に、ガイド部５ｂをクリップガイド６の内部の空間内に配置し、クリップガイド６のある箇所をガイドレール５に固定する。この作業は、作業者が手で或いは工具を用いて行う。図６は、クリップガイド６がガイドレール５に取り付けられた部分の断面を示している。
【００３０】
クリップガイド６のある箇所をガイド部５ｂに固定すると、次に、その箇所を起点にして、クリップガイド６の隣接する部分を順次ガイド部５ｂに固定していく。
【００３１】
具体的には、クリップガイド６のガイド部５ｂに固定した箇所に取付工具を被せるように配置する。図５の左側に記載された取付工具は、この時の状態を示している。なお、図５の左側に記載された取付工具では、押圧部１１及び１２を省略している。把持部１３は、ガイド部５ｂに沿うように配置される。
【００３２】
また、押圧部９と押圧部１０との間にクリップガイド６が配置される。支持部８は、クリップガイド６の上方を通過するように配置される。この時、押圧部９は、クリップガイド６の側方を向く面にガイドレール５の中央部側から対向する。押圧部１０は、クリップガイド６の側方を向く面にガイドレール５の外側から対向する。押圧部９が対向するクリップガイド６の面と押圧部１０が対向するクリップガイド６の面とは互いに反対の方向を向く。具体的に、押圧部９は、クリップガイド６の爪部６ｂに対向する。押圧部１０は、クリップガイド６の手摺ガイド部６ａの湾曲する部分に対向する。
【００３３】
取付工具を上記位置に配置すると、把持部１３がガイドレール５に接近（或いは、より接近）するように、取付工具を矢印Ｃの方向に変位させる（図５参照）。これにより、押圧部９がクリップガイド６の爪部６ｂに側方から接触する。押圧部１０は、クリップガイド６の手摺ガイド部６ａの湾曲する部分に側方から接触する。作業者は、矢印Ｃの方向に力を加えたまま把持部１３を引き、取付工具を矢印Ｄの方向にスライド移動させる。これにより、クリップガイド６は、押圧部１０によってガイドレール５の中央部側に力を受け、ガイド部５ｂに順次嵌められていく。
【００３４】
クリップガイド６を一方のガイド部５ｂに取り付けると、次に、他方のガイド部５ｂへのクリップガイド６の取り付けを行う。例えば、図５の左側に記載されたガイド部５ｂにクリップガイド６を取り付けた後、図５の右側に記載されたガイド部５ｂへのクリップガイド６の取り付けを行う。
【００３５】
図５の右側に記載されたガイド部５ｂにクリップガイド６を取り付ける手順は、上述した手順と基本的に同じである。但し、作業者は、押圧部１１及び１２が下向きに突出するように、取付工具を上下反対に持ち替える。作業者は、取付工具を、クリップガイド６のガイド部５ｂに固定した箇所に被せるように配置する。なお、図５の右側に記載された取付工具では、押圧部９及び１０を省略している。
【００３６】
図５の右側に示す状態では、押圧部１１と押圧部１２との間にクリップガイド６が配置される。支持部８は、クリップガイド６の上方を通過するように配置される。この時、押圧部１１は、クリップガイド６の側方を向く面にガイドレール５の中央部側から対向する。押圧部１２は、クリップガイド６の側方を向く面にガイドレール５の外側から対向する。押圧部１１が対向するクリップガイド６の面と押圧部１２が対向するクリップガイド６の面とは互いに反対の方向を向く。具体的に、押圧部１１は、クリップガイド６の爪部６ｂに対向する。押圧部１２は、クリップガイド６の手摺ガイド部６ａの湾曲する部分に対向する。
【００３７】
取付工具を上記位置に配置すると、把持部１３がガイドレール５に接近（或いは、より接近）するように、取付工具を矢印Ｅの方向に変位させる。これにより、押圧部１１がクリップガイド６の爪部６ｂに側方から接触する。押圧部１２は、クリップガイド６の手摺ガイド部６ａの湾曲する部分に側方から接触する。作業者は、矢印Ｅの方向に力を加えたまま把持部１３を引き、取付工具を矢印Ｆの方向にスライド移動させる。これにより、クリップガイド６は、押圧部１２によってガイドレール５の中央部側に力を受け、ガイド部５ｂに順次嵌められていく。
【００３８】
上記取付工具を用いることにより、クリップガイド６をガイドレール５のガイド部５ｂに簡単に取り付けることができる。クリップガイド６が硬くなる冬場等でも、作業効率は悪化しない。
【００３９】
即ち、クリップガイド６の一箇所をガイド部５ｂに固定した後、その固定した箇所を起点にして取付工具をガイド部５ｂに沿ってスライド移動させれば、クリップガイド６をガイド部５ｂに順次嵌めていくことができる。作業性に優れ、作業時間を短縮することが可能となる。この時、押圧部９は、取付工具の進行方句を前側とすると、押圧部１０より後側の部分でガイドレール５の中央部側からクリップガイド６の爪部６ｂに接触する。このため、取付工具を図５に示すＣ方向に移動させれば、より大きな力で押圧部１０をクリップガイド６の湾曲する部分に側方から押し付けることができる。てこの原理によってクリップガイド６をガイド部５ｂに順次嵌めていくことが可能となる。
【００４０】
また、把持部１３がガイド部５ｂに沿って配置されるため、ガイドレール５と建物の壁１４との間に十分な隙間が形成されていない場合であっても、取付工具をＦ方向に容易に移動させることができる。
【００４１】
図７及び図８は、この発明の実施の形態１における取付工具の他の例を示す図である。図７に示す取付工具は、支持部８の形状が図４及び図５に示した取付工具と相違する。その他の構成は、図４及び図５に示した取付工具の構成と同じである。
【００４２】
図７に示す取付工具では、取付工具をクリップガイド６に被せるように配置した際に、上方から見て把持部１３がガイド部５ｂと重ならないように支持部８が形成されている。このような構成であれば、取付工具を矢印Ｄの方向にスライド移動させる際に把持部１３を持つ手がガイド部５ｂに接触することを防止できる。取付工具の操作性を向上させることが可能となる。
【００４３】
図８に示す取付工具は、押圧部９〜１２の構成が図４及び図５に示した取付工具と相違する。その他の構成は、図４及び図５に示した取付工具の構成と同じである。また、支持部８は、図７に示す構成であっても良い。
【００４４】
図８に示す取付工具では、押圧部９が軸９ａと回転体９ｂとを備える。軸９ａは、支持部８の側面８ａから突出する。回転体９ｂは、例えば円筒状を呈し、軸９ａに回転自在に設けられる。押圧部１０は、軸１０ａと回転体１０ｂとを備える。軸１０ａは、支持部８の側面８ａから突出する。軸１０ａは、軸９ａに対して平行に配置される。回転体１０ｂは、例えば円筒状を呈し、軸１０ａに回転自在に設けられる。回転体９ｂと回転体１０ｂとの間に、一定の間隔が空けられる。回転体９ｂの外周面と回転体１０ｂの外周面とが上記間隔を空けて対向する。
【００４５】
押圧部１１は、軸１１ａと回転体１１ｂとを備える。軸１１ａは、支持部８の側面８ｂから突出する。軸１１ａは、例えば、軸９ａと一直線状に配置される。回転体１１ｂは、例えば円筒状を呈し、軸１１ａに回転自在に設けられる。押圧部１２は、軸１２ａと回転体１２ｂとを備える。軸１２ａは、支持部８の側面８ｂから突出する。軸１２ａは、軸１１ａに対して平行に配置される。また、軸１２ａは、例えば、軸１０ａと一直線状に配置される。回転体１２ｂは、例えば円筒状を呈し、軸１２ａに回転自在に設けられる。回転体１１ｂと回転体１２ｂとの間に、一定の間隔が空けられる。回転体１１ｂの外周面と回転体１２ｂの外周面とが上記間隔を空けて対向する。
【００４６】
上記構成を有する取付工具では、例えば、図５の左側に示す位置に配置した後に取付工具を矢印Ｄの方向に移動させると、回転体９ｂ及び１０ｂがクリップガイド６に接触しながら回転する。このため、取付工具を移動させる時の抵抗が低減し、操作性を向上させることができる。
【００４７】
本実施の形態では、二組の押圧部を備える取付工具についてのみ説明を行った。取付工具に、押圧部９及び１０或いは押圧部１１及び１２しか備えられていなくても良い。
【００４８】
実施の形態２．
図９はこの発明の実施の形態２における取付工具を示す正面図である。図１０はこの発明の実施の形態２における取付工具を示す側面図である。実施の形態１で開示した取付工具には、２組の押圧部が備えられていた。本実施の形態における取付工具では、一対の押圧部９及び１０によって同様の機能を実現する。このため、本実施の形態における取付工具は、支持部８の構成が実施の形態１で開示した取付工具と相違する。その他の構成は、実施の形態１で開示した取付工具の構成と同じである。
【００４９】
本実施の形態における取付工具は、支持部８と押圧部９及び１０と把持部１３とを備える。支持部８は、支持体１５、支持体１６、支持具１７及び固定具１８を備える。支持体１５は、例えば、細長い板状或いは棒状の部材からなる。支持体１５は、把持部１３から突出するように把持部１３に設けられる。
【００５０】
支持体１６は、例えば、板状の部材からなる。支持体１６に、押圧部９及び押圧部１０が設けられる。押圧部９及び押圧部１０は、支持体１６の一方の側面１６ａから突出する。押圧部９と押圧部１０との間に、一定の間隔が空けられる。また、支持体１６は、支持具１７を介して支持体１５に回転可能に固定される。支持具１７は、例えば、支持体１６に設けられた段付きボルトとこの段付きボルトのネジ部に締め付けられたナットとからなる。段付きボルトは、押圧部９と押圧部１０との中間位置に配置される。段付きボルトは、ネジ部が支持体１６の他方の側面１６ｂから突出する。支持体１５の先端部に貫通孔１５ａが形成されており、段付きボルトのネジ部が貫通孔１５ａを通過する。段付きボルトのネジ部にナットが締められ、支持体１５の先端部が段付きボルトの段部とナットとの間に配置される。
【００５１】
支持体１５の貫通孔１５ａより把持部１３に近い位置に貫通孔１５ｂが形成される。また、支持体１６に、３つのネジ孔１６ｃ、１６ｄ及び１６ｅが形成される。ネジ孔１６ｃ、１６ｄ及び１６ｅは、支持体１５を支持具１７を中心に支持体１６に対して回転させた時に貫通孔１５ｂが対向する位置に形成される。ネジ孔１６ｃは、押圧部９からの距離と押圧部１０からの距離とが等しくなる位置に形成される。ネジ孔１６ｄは、押圧部９からの距離が押圧部１０からの距離より短くなる位置に形成される。ネジ孔１６ｅは、押圧部１０からの距離が押圧部９からの距離より短くなる位置に形成される。
【００５２】
図９及び図１０は、貫通孔１５ｂに通した固定具１８からなるボルトをネジ孔１６ｅに締め付けた状態を示している。この状態では、支持体１６は、支持体１５に斜めに固定される。押圧部９は、押圧部１０より把持部１３から遠い位置に配置される。したがって、押圧部９は、クリップガイド６をガイドレール５に取り付ける際にクリップガイド６の爪部６ｂに側方から対向する。押圧部１０は、クリップガイド６の手摺ガイド部６ａの湾曲する部分に側方から対向する。
【００５３】
図１１は、取付工具の使用方法を説明するための図である。図１１は、貫通孔１５ｂに通した固定具１８からなるボルトをネジ孔１６ｄに締め付けた状態を示している。この状態では、支持体１６は、支持体１５に斜めに固定される。押圧部１０は、押圧部９より把持部１３から遠い位置に配置される。したがって、押圧部１０は、クリップガイド６をガイドレール５に取り付ける際にクリップガイド６の爪部６ｂに側方から対向する。押圧部９は、クリップガイド６の手摺ガイド部６ａの湾曲する部分に側方から対向する。
【００５４】
上記構成を有する取付工具であっても、実施の形態１で開示した取付工具が奏する効果と同様の効果を奏することができる。
【００５５】
また、図１２は、取付工具の他の使用方法を説明するための図である。図１２は、貫通孔１５ｂに通した固定具１８からなるボルトをネジ孔１６ｃに締め付けた状態を示している。この状態では、支持体１６は、支持体１５に直交するように固定される。押圧部９及び１０の間隔は、ガイドレール５の幅（ガイド部５ｂの間隔）に合わせて設定されている。クリップガイド６をガイドレール５に取り付ける場合、押圧部９は、一方のクリップガイド６の手摺ガイド部６ａの湾曲する部分に側方から対向する。押圧部１０は、他方のクリップガイド６の手摺ガイド部６ａの湾曲する部分に側方から対向する。このため、図１２に示す状態で取付工具を矢印Ｇの方向に移動させれば、クリップガイド６を双方のガイド部５ｂに同時に取り付けることができる。
【００５６】
本取付工具は、エスカレータだけでなく、他の種類のマンコンベアにおいても使用することができる。例えば、取付工具は、同一階床間の移動の際に利用される動く歩道においても、同様に使用することができる。
【符号の説明】
【００５７】
１  ステップ、  ２  移動手摺、  ３  欄干、  ４  ガイド装置、  ５  ガイドレール、  ５ａ  基部、  ５ｂ  ガイド部、  ６  クリップガイド、  ６ａ  手摺ガイド部、  ６ｂ  爪部、  ７  支持部材、  ８  支持部、  ８ａ  側面、  ８ｂ  側面、  ９〜１２  押圧部、  ９ａ〜１２ａ  軸、  ９ｂ〜１２ｂ  回転体、  １３  把持部、  １４  壁、  １５  支持体、  １５ａ  貫通孔、  １５ｂ  貫通孔、  １６  支持体、  １６ａ  側面、  １６ｂ  側面、  １６ｃ〜１６ｅ  ネジ孔、  １７  支持具、  １８  固定具
【図１】
2015212192.tif 000003
【図２】
2015212192.tif 000004
【図３】
2015212192.tif 000005
【図４】
2015212192.tif 000006
【図５】
2015212192.tif 000007
【図６】
2015212192.tif 000008
【図７】
2015212192.tif 000009
【図８】
2015212192.tif 000010
【図９】
2015212192.tif 000011
【図１０】
2015212192.tif 000012
【図１１】
2015212192.tif 000013
【図１２】
2015212192.tif 000014